(57)【要約】【目的】眼鏡のずり落ちを有効に防止する。【構成】眼鏡に、眼鏡を支持するための鼻当てパッド１５を設ける。鼻当てパッド１５は、鼻側部に当接することにより眼鏡を支持する。鼻当てパッド１５において、鼻側部に当接する当接面１５Ａに、多数の凹部２０を設ける。各凹部２０は、球面から成る。凹部２０は、図３における上下方向、及び左右方向のそれぞれにおいて、等間隔に並べる。【選択図】図３
0003119375.tif 000002
【実用新案登録請求の範囲】
【請求項１】
鼻に当接することにより眼鏡を支持するための鼻当てパッドであって、鼻に当接する当接面には、２以上の凹部又は凸部が設けられることを特徴とする鼻当てパッド。
【請求項２】
前記凹部又は凸部は、断面円形状または断面多角形状に形成されることを特徴とする請求項１に記載の鼻当てパッド。
【請求項３】
前記当接面には複数の突条が設けられ、前記突条の間に前記凹部が形成されることが特徴とすることを特徴とする請求項１に記載の鼻当てパッド。
【請求項４】
前記突条が、第１の方向に互いに略平行に延びる複数の第１の突条と、前記第１の方向とは異なる方向に延びる第２の突条を含み、前記複数の第１の突条は前記第２の突条によって接続されることを特徴とする請求項３に記載の鼻当てパッド。
【請求項５】
前記当接面には複数の溝が設けられ、前記溝の間に前記凸部が形成されることが特徴とすることを特徴とする請求項１に記載の鼻当てパッド。
【請求項６】
前記溝が、第１の方向に互いに略平行に延びる複数の第１の溝と、前記第１の方向とは異なる方向に延びる第２の溝を含み、前記複数の第１の溝は前記第２の溝によって接続されることを特徴とする請求項５に記載の鼻当てパッド。
【請求項７】
鼻に当接することにより眼鏡を支持するための鼻当てパッドであって、鼻に当接する当接面には、２以上の突条又は溝が設けられることを特徴とする鼻当てパッド。
【請求項８】
請求項１乃至７の何れか一項に記載の鼻当てパッドを有する眼鏡。
【考案の詳細な説明】
【技術分野】
【０００１】
本考案は、眼鏡の鼻当てパッドに関し、特にその表面形状を改良した鼻当てパッドに関する。
【背景技術】
【０００２】
従来眼鏡において、ブリッジ、またはフレーム（縁無し眼鏡においてはリム）に、パッドアームを介して鼻当てパッドが取り付けられることが広く知られている。鼻当てパッドは、鼻の両側部に当接することにより、眼鏡レンズと眼球との距離を一定に保つと共に、眼鏡がずり落ちることを防止している。
【０００３】
鼻当てパッドの一例は特許文献１に開示されており、該鼻当てパッドは、鼻側部の形状に沿うように、鼻側部に当接する当接面の形状が湾曲している。また従来、鼻当てパッドの当接面を大きし、鼻側部に作用される単位面積あたりの重量を小さくし、使用者に不快感を与えないようにすることが考えられている。
【特許文献１】特開２００５−７０１２６号公報
【考案の開示】
【考案が解決しようとする課題】
【０００４】
しかし、当接面を大きくすると、鼻当てパッドが滑りやすくなり、眼鏡がずり落ちやすくなる。一方当接面を小さくし鼻当てバッドの滑りを防止しようとすると、鼻側部に作用される単位面積あたりの重量が増加するので、使用者の鼻側部に痛みあるいは圧迫感等の不快感を与える場合がある。
【０００５】
そこで、本考案は、上記問題点に鑑みてなされたものであり、鼻当てパッドの当接面の形状を改良することにより、使用者が快適に使用でき、かつ眼鏡のずり落ちを有効に防止することができる鼻当てパッドを提供することを目的とする。
【課題を解決するための手段】
【０００６】
本考案に係る鼻当てパッドは、鼻に当接することにより眼鏡を支持するための鼻当てパッドであって、鼻に当接する当接面には、２以上の凹部又は凸部が設けられることを特徴とする。
【０００７】
凹部又は凸部は、断面円形状または断面多角形状に形成されることが好ましい。
【０００８】
当接面には複数の突条が設けられていても良く、この場合突条の間に凹部が形成される。突条が、第１の方向に互いに略平行に延びる複数の第１の突条と、第１の方向とは異なる方向に延びる第２の突条を含む場合、複数の第１の突条は第２の突条によって接続されることが好ましい。
【０００９】
当接面には複数の溝が設けられ、溝の間に凸部が形成されても良い。溝が、第１の方向に互いに略平行に延びる複数の第１の溝と、第１の方向とは異なる方向に延びる第２の溝を含む場合、複数の第１の溝は第２の溝によって接続されても良い。
【００１０】
本考案に係る鼻当てパッドは鼻に当接することにより眼鏡を支持するための鼻当てパッドであって、鼻に当接する当接面には、２以上の突条又は溝が設けられることを特徴とする。また、本考案に係る眼鏡は上述の構成を有する鼻当てパッドを備える。
【考案の効果】
【００１１】
本考案においては鼻当てパッドの当接面に、複数の凹部又は凸部を設けることにより、当接面を鼻に当接しやすくし、眼鏡のずり落ちを有効に防止され、これにより使用者はより快適に眼鏡を使用することができる。
【考案を実施するための最良の形態】
【００１２】
以下、本考案の具体的な実施形態を図面を参照しつつ説明する。
図１は、本考案の第１の実施形態に係る鼻当てパッドが適用された眼鏡の斜視図である。図２は、鼻当てパッドの正面図である。本実施形態においては、眼鏡１０として縁無し眼鏡が例示されており、眼鏡１０は、２つのレンズ１１がブリッジ１２で連結されて構成される。各レンズ１１は、それぞれヨロイ部１３を介してテンプル１４に連結されている。
【００１３】
各レンズ１１には、ブリッジ１２との連結部分の下方にそれぞれ、鼻当てアーム１６を介して、鼻当てパッド１５が設けられる。各鼻当てパッド１５は、僅かに湾曲し、または平板状である薄板形状を呈し、互いに対向して設けられる。そして、各鼻当てパッド１５の互いに対向する面は、眼鏡１０が着用されたとき、鼻の両側部に当接する当接面１５Ａと成る。鼻当てパッド１５は、合成樹脂、金属等から形成され、表面処理が施されていても良い。
【００１４】
図３は、鼻当てパッドの拡大斜視図である。図３に示すように、鼻当てパッド１５の当接面１５Ａには多数の凹部２０が設けられる。各凹部２０は、断面円形状であって曲面から成る。各凹部２０は、同一の大きさで同一の形状を呈するが、勿論、形状が同じでそれぞれの大きさが異なっていても良いし、形状及び大きさが互いに異なっていても良い。
【００１５】
各凹部２０は例えば、球面から成り半球面であっても良いが、非球面でも良い。凹部２０は図３に示すように当接面１５Ａの全面に設けられ、したがって、当接面１５Ａの最外縁部に設けられた凹部２０の一部の断面は、当接面１５Ａの形状に応じて、円形が切断された形状を呈する。凹部２０は、当接面１５Ａにおいて、図３の上下方向及び左右方向にそれぞれ等間隔に並べられても良いが、等間隔に並べられなくても良い。
【００１６】
鼻当てパッド１５は、各当接面１５Ａが鼻の各側部に当接することにより、眼鏡１０を支持し、これにより、レンズ１１と眼球との距離を保つと共に、眼鏡１０がずり落ちることを防止する。特に、本実施形態では、鼻当てパッド１５に多数の凹部２０が設けられているため、凹部２０が鼻側部に密着し、鼻当てパッド１５の滑り落ちが防止されている。したがって、鼻当てパッド１５は、凹部２０が設けられない場合に比べ、眼鏡１０の落下防止作用をより顕著に発揮する。すなわち、鼻当てパッド１５は、凹部２０が設けられたことにより、通常の使用状態において眼鏡１０がずり落ちない程度に、眼鏡１０を支持することが可能であり、これにより使用者は眼鏡１０を快適に着用することができる。
【００１７】
図４は、第２の実施形態の鼻当てパッドの拡大斜視図である。第２の実施形態において、第１の実施形態と相違する点は、凹部の形状である。以下、第２の実施形態について、第１の実施形態との相違点を説明する。第２の実施形態に係る当接面１５Ａには、突条３１がハニカム構造に形成され、突条３１の間に多数の凹部３０が形成される。これにより、凹部３０は、その断面が正六角形状であって、正六角柱形状を呈するとともに、当接面１５Ａにおいて、図３の左右方向、左斜め方向、右斜め方向の３方向にそれぞれ等間隔に並べられる。なお、凹部３０は等間隔に並べられなくても良い。
【００１８】
図５は、第３の実施形態の鼻当てパッドの拡大斜視図である。第３の実施形態において、第１の実施形態と相違する点は、凹部の形状である。以下、第３の実施形態について、第１の実施形態との相違点を説明する。第３の実施形態に係る当接面１５Ａには、図５における左端から右端まで互いに平行に延びる第１の突条４１が複数設けられると共に、上端から下端まで互いに平行に延びる複数の第２の突条４２が設けられ、各第２の突条４２は第１の突条４１に接続され、これにより突条４１、４２は格子状に形成される。そして、突条４１，４２によって形成された各格子の間に凹部４０が形成される。このような構成により、凹部４０は、その断面が正四角形状であって、正四角柱形状を呈するとともに、当接面１５Ａにおいて、図３の左右方向、上下方向の２方向にそれぞれ等間隔に並べられる。なお、凹部４０は等間隔に並べられなくても良い。
【００１９】
以上のように、第２及び第３の実施形態においても、第１の実施形態と同様に、当接面１５Ａに多数の凹部３０、４０が設けられたことにより、眼鏡１０のずり落ちを有効に防止することができる。
【００２０】
図６は、第４の実施形態の鼻当てパッドの拡大斜視図である。第４の実施形態において、第１の実施形態と相違する点は、当接面１５Ａに複数の凹部の代わりに複数の凸部が設けられている点である。以下、第４の実施形態について、第１の実施形態との相違点を説明する。
【００２１】
当接面１５Ａには、図６における左端から右端まで互いに平行に延びる横溝（第１の溝）５１が複数設けられると共に、上端から下端まで互いに平行に延びる複数の縦溝（第２の溝）５２が設けられ、各縦溝５２は各横溝５１に接続され、これにより横溝５１、縦溝５２は格子状に形成される。これにより、当接面１５Ａには、その溝の間に複数の断面正四角形状を呈する凸部５０が形成される。なお、各横溝５１、縦溝５２の断面形状はＶ字形を呈する。また、凸部５０は、当接面１５Ａにおいて、図３の左右方向、上下方向の２方向にそれぞれ等間隔に並べられるが、勿論凸部５０は等間隔に並べられなくても良い。
【００２２】
第４の実施形態のように、当接面１５Ａに複数の凸部が設けられている構成であっても、凸部の側面（すなわち、各溝）が鼻側部との滑りの抵抗となって、鼻当てパッド１５の滑り落ちが防止される。
【００２３】
なお本考案において凹部の形状は、第１乃至第３の実施形態に示したように、断面円形状、断面四角形状、断面六角形状に限定されるわけでなく、他の形状であっても良く、断面四角、六角形状以外の断面多角形状であっても良いし、円柱形状を呈しても良い。同様に、凸部も断面四角形状に限定されるわけではなく、断面六角形状等の他の断面多角形状であっても良いし、断面円形状を呈していても良いし、他の形状を呈していても良い。
【００２４】
また、上記各実施形態においては、凹部又は凸部は当接面１５Ａの全面に多数設けられたが、全面に設けられなくても良く、例えば、当接面１５Ａの中央部付近のみに設けられても良い。さらには、鼻当てパッド１５の側面に設けられても良い。また、凹部又は凸部は２以上設けられればいくつ設けられても良い。
【図面の簡単な説明】
【００２５】
【図１】本考案の眼鏡の斜視図である。
【図２】本考案の鼻当てパッドの正面図である。
【図３】第１の実施形態に係る鼻当てパッドの拡大斜視図である。
【図４】第２の実施形態に係る鼻当てパッドの拡大斜視図である。
【図５】第３の実施形態に係る鼻当てパッドの拡大斜視図である。
【図６】第４の実施形態に係る鼻当てパッドの拡大斜視図である。
【符号の説明】
【００２６】
１０  眼鏡
１５  鼻当てパッド
１５Ａ  当接面
１６  鼻当てアーム
２０、３０、４０  凹部
５０  凸部
５１  横溝
５２  縦溝
【図１】
0003119375.tif 000003
【図２】
0003119375.tif 000004
【図３】
0003119375.tif 000005
【図４】
0003119375.tif 000006
【図５】
0003119375.tif 000007
【図６】
0003119375.tif 000008